(57)【要約】  １つまたは複数の流体を患者内に注入するための解決手段が提案される。対応する注入システム（２００）は、コンテナ（１１０ａ；１１０ｂ）から注入される流体の１つをそれぞれ供給するための、１つまたは複数の供給ステーション（１０５ａ；１０５ｂ）を備え；少なくとも１つの供給ステーション（１０５ａ；１０５ｂ）は、コンテナ（１１０ａ；１１０ｂ）を格納するためのチャンバーを規定するハウジング手段（１１５ａ、１２０ａ；１１５ｂ、１２０ｂ）（チャンバーは、流体を患者に送達するための送達アレンジメント（１３５、１４５）にコンテナ（１１０ａ；１１０ｂ）を接続するための接続ポート（１３２ａ；１３２ｂ）を備える）、および、チャンバー内の流体を熱的に調整するための、調整デバイス（２０５ａ；２０５ｂ）を備え、ここで、調整デバイス（２０５ａ；２０５ｂ）は、接続ポート（１３２ａ；１３２ｂ）の周りに配列された第一の調整素子（２１０ａ；２１０ｂ）、および、第一の調整素子（２１０；２１０ａ；２１０ｂ）に対して横向きで伸長する第二の調整素子（２１５；２１５ａ；２１５ｂ）を備える。【代表図】図４
2019501695.tif 000002
【特許請求の範囲】
【請求項１】
患者内に１つまたは複数の（ｏｎｅ  ｏｆ  ｍｏｒｅ）流体を注入するための注入システム（２００）であって、
前記注入システム（２００）は、コンテナ（１１０ａ；１１０ｂ）から注入される前記流体の１つをそれぞれ供給するための、１つまたは複数の供給ステーション（１０５ａ；１０５ｂ）を備え、
ここで、前記の供給ステーション（１０５ａ；１０５ｂ）の少なくとも１つは：
前記コンテナ（１１０ａ；１１０ｂ）を格納するためのチャンバーを規定するハウジング手段（１１５ａ、１２０ａ；１１５ｂ、１２０ｂ）（前記チャンバーは、前記流体を前記患者に送達するために、前記コンテナ（１１０ａ；１１０ｂ）を送達アレンジメント（１３５、１４５）に接続するための、接続ポート（１３２ａ；１３２ｂ）を備える）、および
前記チャンバー内の前記流体を熱的に調整するための、調整デバイス（２０５ａ；２０５ｂ）
を備え、
前記調整デバイス（２０５ａ；２０５ｂ）は、前記接続ポート（１３２ａ；１３２ｂ）の周りに配列された第一の調整素子（２１０ａ；２１０ｂ）、および、前記の第一の調整素子（２１０ａ；２１０ｂ）に対して横向きで伸長する第二の調整素子（２１５ａ；２１５ｂ）を備えることを特徴とする、
注入システム（２００）。
【請求項２】
請求項１に記載の注入システム（２００）であって、
前記の第一の調整素子（２１０ａ；２１０ｂ）は、前記注入システム（２００）の動作状態で水平に伸長して、前記の第二の調整素子（２１５ａ；２１５ｂ）は、前記の第一の調整素子（２１０ａ；２１０ｂ）の境界から、前記注入システム（２００）の動作状態で垂直に伸長する、
注入システム（２００）。
【請求項３】
請求項１または２に記載の注入システム（２００）であって、
前記の第一の調整素子（２１０ａ；２１０ｂ）は、平面視で前記接続ポート（１３２ａ；１３２ｂ）を完全に取り囲む、
注入システム（２００）。
【請求項４】
請求項３に記載の注入システム（２００）であって、
前記の第一の調整素子（２１０ａ；２１０ｂ）は、前記接続ポート（１３２ａ；１３２ｂ）と合致する貫通穴を備えるディスクによって形成されるリング（３２０）を備える、
注入システム（２００）。
【請求項５】
請求項１から４のいずれかに記載の注入システム（２００）であって、
前記の第二の調整素子（２１５ａ；２１５ｂ）は、前記接続ポート（１３２ａ；１３２ｂ）を部分的に取り囲む、
注入システム（２００）。
【請求項６】
請求項５に記載の注入システム（２００）であって、
前記の第二の調整素子（２１５ａ；２１５ｂ）は、２２０°〜３４０°の角度に対する円弧に沿って伸長する、
注入システム（２００）。
【請求項７】
請求項１から６のいずれかに記載の注入システム（２００）であって、
前記の第二の調整素子（２１５ａ；２１５ｂ）は、フィン（３２５）の中央からその各末端まで減少している高さを有するフィン（３２５）を備える、
注入システム（２００）。
【請求項８】
請求項１から７のいずれかに記載の注入システム（２００）であって、
前記の第一の調整素子（２１０ａ；２１０ｂ）は、第一の抵抗を有する第一の加熱コイル（４０５）を備え、および、
前記の第二の調整素子（２１５ａ；２１５ｂ）は、前記の第一の抵抗よりも高い第二の抵抗を有する第二の加熱コイル（４１５）を備える、
注入システム（２００）。
【請求項９】
請求項１から８のいずれかに記載の注入システム（２００）であって、
前記ハウジング手段（１１５ａ、１２０ａ；１１５ｂ、１２０ｂ）は、前記コンテナ（１１０ａ；１１０ｂ）を保持するためのホルダー（１１５；１１５ｂ）および前記ホルダー（１１５ａ；１１５ｂ）上に保持される場合に前記コンテナ（１１０ａ；１１０ｂ）を覆うためのカバー（１２０ａ；１２０ｂ）を備え、
およびここで、少なくとも１つの供給ステーション（１０５ａ；１０５ｂ）は、前記調整デバイス（２０５ａ；２０５ｂ）を前記ホルダー（１１５；１１５ｂ）上にマウントするための手段（６２２、６２５）を備え、
前記調整デバイス（２０５ａ；２０５ｂ）は、第一のコネクター（６３５）を備え、
前記カバー（１２０ａ；１２０ｂ）は、前記の第一のコネクター（６３５）と嵌合するための第二のコネクター（６２０）を備える、
注入システム（２００）。
【請求項１０】
請求項１から９のいずれかに記載の注入システム（２００）であって、
前記の第一の調整素子（２１０ａ；２１０ｂ）および前記の第二の調整素子（２１５ａ；２１５ｂ）を個々に制御するための手段（６４０）を備える、
注入システム（２００）。
【請求項１１】
請求項１から１０のいずれかに記載の注入システム（２００）であって、
前記調整デバイス（２０５ａ；２０５ｂ）は、前記チャンバー内の温度を測定するためのそれぞれの複数の温度センサー（３３０）を備え、
前記注入システム（２００）は、測定された温度の比較に従ってエラー状態を検出するための手段（６４０）を備える、
注入システム（２００）。
【請求項１２】
請求項１から１１のいずれかに記載の注入システム（２００）であって、
前記注入システム（２００）は、そのスキャン検査中に前記患者内へ前記流体を注入するためのものであり、
前記流体は、造影剤および／または生理食塩水を含む１つまたは複数の医療流体である、
注入システム（２００）。
【請求項１３】
請求項１から１２のいずれかに記載の注入システム（２００）であって、
前記調整デバイス（２０５ａ；２０５ｂ）は、前記チャンバー内の標的温度を維持するための加熱デバイス（２０５ａ；２０５ｂ）である、
注入システム（２００）。
【請求項１４】
請求項１から１３のいずれかに記載の注入システム（２００）での使用のための調整デバイス（２０５ａ；２０５ｂ）であって、
前記調整デバイス（２０５ａ；２０５ｂ）は、前記の第一の調整素子（２１０ａ；２１０ｂ）および前記の第二の調整素子（２１５ａ；２１５ｂ）を備える、
調整デバイス（２０５ａ；２０５ｂ）。
【請求項１５】
１つまたは複数の流体を患者内に注入するために注入システム（２００）を運転する方法であって、
ここで、コンテナ（１１０ａ；１１０ｂ）から注入される前記流体の１つを供給するために前記注入システム（２００）内に備えられる少なくとも１つの供給ステーション（１０５ａ；１０５ｂ）に関して、
前記方法は：
前記患者に前記流体を送達するために前記コンテナ（１１０ａ；１１０ｂ）を送達アレンジメント（１３５、１４５）に接続するための接続ポート（１３２ａ；１３２ｂ）に、前記コンテナ（１１０ａ；１１０ｂ）を接続して、チャンバー内に前記コンテナ（１１０ａ；１１０ｂ）を格納するステップ、および
前記チャンバー内で熱的に前記流体を調整するステップ、
を含み、
前記の調整するステップは：
前記接続ポート（１３２ａ；１３２ｂ）の周りに配列された第一の調整素子（２１０ａ；２１０ｂ）によって、および、前記の第一の調整素子（２１０ａ；２１０ｂ）に対して横向きで伸長する第二の調整素子（２１５ａ；２１５ｂ）によって、前記流体を熱的に調整するステップを含むことを特徴とする、
方法。
【発明の詳細な説明】
【技術分野】
【０００１】
本開示は、医療機器の分野に関する。より具体的には、本開示は、注入システムに関する。
【背景技術】
【０００２】
本開示の背景は、そのコンテキストに関する技術の議論とともに、これ以降導入される。しかしながら、この議論が、文献、行為、アーチファクトなどを指す場合さえも、議論される技術が従来技術の一部であること、または、本開示と関連する分野における共通の一般知識であることを示唆または表現しない。
【０００３】
患者への流体の注入は、いくつかの医療手順においてありふれたことである。例えば、造影剤（または造影媒体）は、場合により生理食塩水とともに注入され得て、そのスキャン検査中の患者内での標的（体）の特性（例えば、ヒトの体の構造または臓器）のコントラストを増強する。特に、イメージング適用では（ここで、患者の内部の視覚表示は、外科的処置技術に頼らずに非侵襲的な方法で作られる）、造影剤の使用は、標的特性をよりはっきりと見えるようにさせる。結果として、他の方法では他の近くの特性（例えば、周囲組織）から区別可能でない標的特性が強調される。これは、診断適用、および特に、病変の識別および／または特性化、それらの進化または医学的処置に対する応答のモニタリングにおいて、臨床医のタスクを著しく促進する。例えば、ヨウ素に基づく造影剤（例えばイオパミドールを含む）は、コンピューター断層撮影（ＣＴ）適用（例えば血管造影検査）において一般に用いられる。
【０００４】
造影剤は通常、患者の血管内に、（自動化）注入システムによって注入される。注入システムは、（対応するコンテナから供給される）造影剤を加圧して、所定の注入条件下で、例えば、所定の流速および容量で、患者にそれを注入する。このようにして、造影剤は、制御された安全かつ効率的な様式で注入され得る。
【０００５】
典型的に、造影剤は相対的に高い粘性を有する。造影剤の粘性は、患者におけるその正確な注入に不利な影響を及ぼし得て（例えば、所望されるよりも低い流速で生じるので）；どのような場合においても、これは、相対的に高い圧力の適用を必要とする（複雑性が増大し、その結果、注入システムのコストが増大する）。さらに、高い圧力での高い粘性を有する造影剤の注入は、患者にとってかなり不快である。
【０００６】
ほとんどの造影剤の粘性は、それらの温度を高くすることによって低減され得る。したがって、造影剤は通常、注入システムとは別個の専用機器（例えば加温器）を用いることによって、注入される前に事前に加温される。例えば、体温に近い標的温度（例えば３５〜３７℃）に事前に加温された造影剤は、それらの粘性を半分にし得る。このようにして、より低い圧力（その結果、より低い複雑性および注入システムコスト）で、および、患者にとってより高い快適性で、造影剤を効率的に（例えば、所望の流速で）注入することがより簡単である。
【０００７】
しかしながら、造影剤はかなり早く冷却し、その結果、注入直前および／または注入中に、それに応じてその粘度を増加させる。したがって、一部の注入システムでは、造影剤のコンテナは、その断熱を提供する専用のチャンバー内に格納される。いずれの場合においても、不可避の熱損失は、スキャン検査（すなわち、イメージング手順）全体のあいだ、造影剤の標的温度を維持するのを可能にしない。
【０００８】
造影剤の冷却を緩和するために、一部の注入システムは、注入される造影剤を、スキャン検査全体のあいだ、それを標的温度で維持するように温めるように制御される加熱デバイスが具備される。例えば、ＵＳ−Ｂ−９１０１７０５は、コンテナと動作接続されたバルク流体加熱システムおよび流体パスと動作接続されたインラインのリアルタイム加熱システムを提案する。さらに、ＵＳ−Ｂ−８４６３３６２は、コンテナホルダーの１つまたは複数の表面に沿って置かれた１つまたは複数の抵抗素子を備えるバルク流体コンテナホルダーモジュールを提案する。コンテナホルダーは、その中に挿入されたボトルを、（ボトルの形状の一部に対応するコンテナホルダーの表面によって）受け台に乗せ（ｃｒａｄｌｅ）得て、コンテナホルダーからボトルへの熱の伝達を助け得る接触領域をもたらす。
【０００９】
あるいは、加熱デバイスは、造影剤のコンテナを格納するチャンバーの保護カバー内またはその中に配置された垂直プレート内に埋め込まれた抵抗素子によって実装され得る。
【００１０】
しかしながら、これらの機器構成の性能は完全に満足ではなく；さらに、それらは注入システムの完全な再設計を必要とする。
【００１１】
米国文献２，４７０，４８１は、グルコースまたは生理食塩水、および血漿の静脈内注入のコンテナのための流体ヒーターを開示する。ヒーターは、加熱素子を間に備える空間のあいた壁を備える。熱伝達素子は、サーモスタットと接続して、加熱素子は、適切な設定レベルで温度を維持するためにサーモスタットによって制御される。
【発明の概要】
【発明が解決しようとする課題】
【００１２】
本開示の簡易化された要約が、その基礎的理解を提供するためにここに示されるが；この要約の唯一の目的は、本開示の一部の概念を、その以下のより詳細な説明に対する前置きとして簡易化された形で紹介することであり、その重要な素子の識別としてもその範囲の表現としても解釈されるべきでない。
【課題を解決するための手段】
【００１３】
一般論として、本開示は、２つの熱的調整素子（すなわち２つの加熱素子）を用いたアイディアに基づく。
【００１４】
特に、一態様は、注入システムを提供し、ここで、少なくとも１つの供給ステーションにおいて、調整デバイス（すなわち、対応するチャンバー内の流体を熱的に調整するための加熱デバイス）が提供されて、それは、第一の調整素子（すなわち、流体のコンテナを接続するための接続ポートの周りに配列される第一の加熱素子）および第二の調整素子（すなわち、第一の調整素子に対して横向きで伸長する第二の加熱素子）を備える。
【００１５】
さらなる態様は、前記注入システムを運転するための対応する方法を提供する。
【００１６】
より具体的には、参照により逐語的に本明細書中に組み込まれる全ての請求項の用語とともに（必要な変更を加えて全ての他の態様に適用する任意の特定の態様に関して提供される任意の有利な特性とともに）、本開示の１つまたは複数の態様は独立請求項に提示されて、それらの有利な特性が従属請求項に提示される。
【００１７】
本開示の解決手段、ならびに、さらなる特性およびそれらの利点は、付随する図面とともに読まれるべき限定的でない示度として純粋に提供される以下のその詳細な説明を参照して最もよく理解される（ここで、簡易化のために、対応する素子は、同等または類似の参照により表示されて、それらの説明は繰り返されず、それぞれの物質の名称は、一般に、そのタイプおよびその属性の両方、例えば、値、含有量および表現を表示するために用いられる）。この点において、図は、縮尺どおり描かれる必要はないこと（一部の詳細は誇張され得て、および／または簡略化され得る）、および、別段の指示がない限り、それらは単に概念的に本明細書において説明される構造および手順を示すために用いられることが、明示的に意図される。特に：
【図面の簡単な説明】
【００１８】
【図１】本開示の実施態様に係る解決手段（図に示されない）が適用され得る、注入システムの部分的な分解図での図形表示を示す。
【図２】本開示の実施態様に係る特定の注入システムの図形表示を示す。
【図３】本開示の実施態様に係る加熱デバイスの図形表示を、それぞれ上面図および底面図で示す。
【図４】本開示の実施態様に係る加熱素子の図形表示を示す。
【図５】本開示の実施態様に係る別の加熱素子の図形表示を示す。
【図６】本開示の実施態様に係る加熱デバイスの例示的なインストールを示す。
【発明を実施するための形態】
【００１９】
特に図１を参照して、本開示の実施態様に係る解決手段（図に示されない）が適用され得る、注入システム１００の部分的な分解図での図形表示が示される。
【００２０】
注入システム１００は、患者内に１つまたは複数の医療流体を注入するために用いられて（図に示されない）；特に、注入システム１００は、（例えば、ＣＴ適用のようなＸ線撮影適用において）スキャン検査を行なうために臨床医によって用いられる、（自動）造影剤および生理食塩水（シリンジレス）注入器である。
【００２１】
注入システム１００は、対応するコンテナから注入される医療流体を供給するための、（左）供給ステーション１０５ａ、（右）供給ステーション１０５ｂおよび（前）供給ステーション１０５ｃを備える。特に、供給ステーション１０５ａおよび供給ステーション１０５ｂは、ボトル１１０ａおよびボトル１１０ｂ（例えば、ガラスまたは硬質プラスチック製）から医療流体をそれぞれ供給して、一方で、供給ステーション１０５ｃは、ポーチ１１０ｃ（例えば、軟質プラスチック製）から医療流体を供給する。供給ステーション１０５ａ、１０５ｂは、１つまたは複数の造影剤（患者内の特定の体の特性のコントラストを高めるため）または造影剤および生理食塩水（生理学的または等張溶液を含む）を供給するために用いられ得て、一方で、供給ステーション１０５は、生理食塩水を供給するために用いられ得る。例えば、ＣＴ適用では、造影剤は、ダイアトリゾエート、イオキサグレート、イオパミドール、イオヘキソール、イオキシラン、イオプロミドまたはイオジキサノールを含むヨウ素に基づく造影剤であってよく、生理食塩水は、塩化ナトリウムであってよい。イオパミドールを含む市販の造影剤の例は、Ｂｒａｃｃｏ  Ｄｉａｇｎｏｓｔｉｃｓ  Ｉｎｃ．（商標）製のＩＳＯＶＵＥである。それぞれのボトル１１０ａ、１１０ｂは、単一または多数回の投与量（例えば、５０〜５００ｍｌ）の異なる造影剤（所定の順序で供給される）または同一の造影剤（スキャン検査の持続時間を増加させるために続けて供給される）を含んでよい。ポーチ１１０ｃは、一般に、造影剤の注入前（プレ−フラッシュ）、後（ポスト−フラッシュ）または間（間期）に、またはあるいは、造影剤との迅速な交互の連続で、供給されるべき生理食塩水のバルク（例えば、１００〜１，０００ｍｌ）を含む（心臓などの患者の臓器内で造影剤および生理食塩水の混合物を得るため）。あるいは、供給ステーション１０５ａおよび１０５ｂは、それぞれ造影剤および生理食塩水を供給するために用いられ得る（供給ステーション１０５ｃを使用せずに）。
【００２２】
より具体的には、それぞれの供給ステーション１０５ａ、１０５ｂは（それぞれ）、ボトル１１０ａ、１１０ｂのためのボトルホルダー１１５ａ、１１５ｂを備える。保護カバー１２０ａ、１２０ｂは、ボトルホルダー１１５ａ、１１５ｂ上にマウントされて、その上に保持される場合にボトル１１０ａ、１１０ｂを覆い、それにより、ボトル１１０ａ、１１０ｂを格納するための閉鎖されたチャンバーを規定する。ボトルホルダー１１５ａ、１１５ｂは、保護カバー１２０ａ、１２０ｂと組み合わせて、ボトル１１０ａ、１１０ｂを受け入れるためのハウジング手段を規定する。ボトルホルダー１１５ａ、１１５ｂおよび保護カバー１２０ａ、１２０ｂは、外側の偶然的な衝撃からボトル１１０ａ、１１０ｂを保護する。さらに、それらは断熱材料（例えば、ポリカーボネート）で作られて熱損失を低減させて、それにより、ボトル１１０ａ、１１０ｂ内に含まれる医療流体を温かく（例えば、だいたい体温で）維持するのを助ける。実際に、それぞれのボトルホルダー１１５ａ、１１５ｂと関係がある保護カバー１２０ａ、１２０ｂは、外的環境から分離されていて外的環境からボトル１１０ａ、１１０ｂを断熱する閉鎖されたチャンバーを規定する。供給ステーション１０５ｃは、その代わりに、単純に、ポーチ１１０ｃを吊るすためのフック１２５ｃを備える。
【００２３】
送達アレンジメントは、コンテナ１１０ａ、１１０ｂ、１１０ｃから患者に医療流体を送達するための、完全に閉鎖された流体パスウェイを作製する。
【００２４】
この目的のために、それぞれの供給ステーション１０５ａ、１０５ｂにおいて、ボトルコネクター１３０ａ、１３０ｂが、ボトルホルダー１１５ａ、１１５ｂの接続ポート１３２ａ、１３２ｂ内に配列される。ボトルコネクター１３０ａ、１３０ｂは、ボトル１１０ａ、１１０ｂに連結するためのスパイク、および、スパイクと流体連結した接続素子（例えば、セプタムまたは雄ルアーロックフィッティング）を備える。スパイクおよび接続素子は、ボトルコネクター１３０ａ、１３０ｂの逆の縦末端に位置する。典型的に、ボトルコネクター１３０ａ、１３０ｂは、そのスパイクと接続素子との間に、濾過ユニット（図に示されない）も備える。ボトルコネクター１３０ａ、１３０ｂは、単一のボトル１１０ａ、１１０ｂとの使用のための使い捨て可能な素子である（例えば、任意の偶然的なその再使用を防止するために、ボトルコネクター１３０ａ、１３０ｂが除去される場合に離脱してボトル１１０ａ、１１０ｂの内側に残るスパイクによる）。
【００２５】
移行セット１３５は、対応するコンテナ１１０ａ、１１０ｂ、１１０ｃからの医療流体を加圧ユニット１４０に移行させるために、全ての供給ステーション１０５ａ、１０５ｂ、１０５ｃを加圧ユニット１４０に接続する。移行セット１３５は、それぞれの供給ステーション１０５ａ、１０５ｂ、１０５ｃのための移行ラインを備える。それぞれの供給ステーション１０５ａ、１０５ｂの移行ラインは、（加圧ユニット１４０に対してその遠位端に）リザーバー（またはドリップチャンバー）１４２ａ、１４２ｂおよびボトルコネクター１３０ａ、１３０ｂの接続素子と嵌合するための接続素子１４３ａ、１４３ｂを具備するフレキシブルチューブ１４１ａ、１４１ｂを備える。例えば、接続素子１４３ａ、１４３ｂは、ボトルコネクター１３０ａ、１３０ｂの接続素子がセプタムである場合はスパイクであり、または、接続素子１４３ａ、１４３ｂは、ボトルコネクター１３０ａ、１３０ｂの接続素子が雄ルアーフィッティングである場合は雌ルアーロックフィッティングである。リザーバー１４２ａ、１４２ｂおよび接続素子１４３ａ、１４３ｂは、ボトルホルダー１１５ａ、１１５ｂの内側に配列される。供給ステーション１０５ｃの移行ラインは、（加圧ユニット１４０に対してその遠位端に）リザーバー（またはドリップチャンバー）１４２ｃおよびポーチ１１０ｃに接続するためのスパイク１４３ｃを具備するフレキシブルチューブ１４１ｃを備える。フレキシブルチューブ１４１ａ、１４１ｂ、１４１ｃは全て、（加圧ユニット１４０に対してそれらの近位端で）Ｔ−コネクター１４４と連結されて、それは、加圧ユニット１４０の対応するポート内の挿入のためのプラグを備える。移行セット１３５は、定期的に（例えば、１２時間ごとに）交換される使い捨て可能な素子である。
【００２６】
加圧ユニット１４０は、ぜん動ポンプの電気モーター（図では見えない）を備え、それは、患者へ（例えば、８バールの圧力まで、または流速０．５〜９．９ｍｌ／ｓで）それらを注入するために医療流体（移行セット１３５を介してコンテナ１０５ａ、１０５ｂ、１０５ｃから受け取られる）を加圧するために用いられる。
【００２７】
送達セット１４５は、（加圧された）医療流体を送達するために加圧ユニット１４０を患者に接続する。送達セット１４５は、フレキシブルチューブ１４６で作られた送達ラインを備え、それは（患者に対してその遠位端に）、加圧ユニット１４０内に提供された専用のポート中に導入されてＴ−コネクター１４４とも流体連通して置かれる、参照１４７で示されるぜん動ポンプを具備する。ぜん動ポンプ１４７は、複数のスクイジングホイールを備えるローターを格納し、それの中に、フレキシブルチューブ１４６の対応する部分が挿入される。送達セット１４５が、単一の患者による使用のための単回使用タイプである場合（図に示されない）、フレキシブルチューブは、（図に示されるフレキシブルチューブ１４６よりも）長く、それは、（患者に対してその近位端に）、患者の末梢静脈中に皮膚を通して挿入される末梢カテーテル（図に示されない）の接続素子（例えばプラグ）と嵌合するための接続素子を具備する。その代わり、送達セット１４５が、多数の患者による使用のための多数使用タイプである場合（図に示される）、フレキシブルチューブ１４６はより短く、その近位端に、（より長い）フレキシブルチューブ１５１（部分的にのみ図に示される）で作られたさらなる患者ラインの接続素子１５０と嵌合するための接続素子１４８を具備し、それは順々に、末梢カテーテルの接続素子と嵌合するための接続素子１５２で終わる。送達セット１４５は使い捨て可能な素子であり、単回使用の場合は、完全に単一の患者での使用のためのものであり、多数回使用の場合は、定期的に（例えば、１２時間ごとに）交換されるが、患者ライン１５０〜１５２は、単一の患者でのみ使用する。
【００２８】
制御ユニット１５５は、注入システム１００の運転を制御する。例えば、制御ユニット１５５は、マイクロプロセッサ、マイクロプロセッサによってワーキングメモリとして用いられるＲＡＭ、および、電源が切れた場合でさえ保存されるべき情報（特に、注入システム１００の制御プログラム）を保存するフラッシュＥ２ＰＲＯＭを具備する（メインＰＣＢ）ボードを備える。さらに、制御ユニット１５５は、オペレーターによってそれと相互作用するために用いられるタッチスクリーンおよびいくつかのボタンを備える。
【００２９】
注入システム１００は、スタンド１６０によって支持される。スタンド１６０は、注入システム１００の移動を促進するためのホイールを具備し；さらに、ホイールは、注入システム１００を適所に固定するためのフットブレーキを備える。
【００３０】
操作において、それぞれのスキャン検査が行なわれるために、オペレーターは注入システム１００を患者の近くに置いて、それからスイッチを入れる。まだされていない場合は、オペレーターは、それぞれのリザーバー１４２ａ、１４２ｂおよび接続素子１４３ａ、１４３ｂを、（そのフラップを横切って）対応するボトルホルダー１１５ａ、１１５ｂ内に挿入して、および、（例えば、スナップフィッティング機構を通して）それらをその中に開放可能にブロックすることによって、移行セット１３５をインストールする。ポーチ１１０ｃ（生理食塩水を含む）がインストールされない場合は、制御ユニット１５５は、そのスクリーン上に、オペレーターがそうするように促すメッセージを表示する。ポーチ１１０ｃが用いられる場合は、オペレーターは、スパイク１４３ｃを用いてポーチ１１０ｃのシールを貫通させて、フック１２５ｃからポーチ１１０ｃを吊るして、（繰り返し押しつぶすことによって）リザーバー１４２ｃを生理食塩水で完全に満たす。この時点で、オペレーターは、ポーチ１１０ｃの生理食塩水に関する特定の情報（例えば、その商標名および容量）を入力することによって制御ユニット１５５をプログラムする。他には、ポーチ１１０ｃが用いられない場合は、オペレーターは、対応するコマンドを制御ユニット１５５に入力する。両方の場合において、ボトル１１０ａ（造影剤を含む）がインストールされない場合は、制御ユニット１５５は、そのスクリーン上に、オペレーターがそうするように促すメッセージを表示する。それに応答して、オペレーターは、ボトル１１０ａを別個の加温器（図に示されない）から取り、ここで、ボトル１１０ａは、標的温度に事前に温められていて；標的温度は、造影剤を効率的に（例えば、所望の流速で）、患者にとって快適に注入するのを可能にするのに十分に高い値に設定されるが、患者にとって有害であるほど高くはない（例えば、３２〜３７．５℃）。オペレーターは、ボトルコネクター１３０ａのスパイクを用いてボトル１１０ａのシールを貫通させる。オペレーターは、それから、ボトル１１０ａの上下をひっくり返して（それに接続されたボトルコネクター１３０ａとともに）、ボトルコネクター１３０ａを接続ポート１３２ａ中に（その接続素子を接続素子１４３ａに接続するように）挿入して、保護カバー１２０ａをボトルホルダー１１５ａ上に（ボトル１１０ａを安全に取り囲むように）マウントして、（リザーバー１４２ａを繰り返し押しつぶすことによって）リザーバー１４２ａを造影剤で完全に満たす。この時点で、オペレーターは、ボトル１１０ａの造影剤に関する特定の情報（例えば、その商標名および容量）を入力することによって、制御ユニット１５５をプログラムする。オペレーターは、（造影剤または生理食塩水を含む）ボトル１１０ｂをインストールするために、必要であれば、同じ操作を繰り返す。制御ユニット１５５は、ここで、そのスクリーン上に、送達セット１４５をインストールするようにオペレーターを促すメッセージを表示する。それに応答して、オペレーターは、ぜん動ポンプ１４７を加圧ユニット１４０の対応するポート中に挿入して、ぜん動ポンプ１４７をＴ−コネクター１４４に接続する。送達セット１４５が多数回使用のためのものである場合は、オペレーターは、患者ライン１５０〜１５２の接続素子１５０を、送達ライン１４６〜１４８の接続素子１４８にさらに接続する。オペレーターは、ここで、移行ライン１４１ａ〜１４３ａ、１４１ｂ〜１４３ｂおよび１４１ｃ〜１４３ｃ、送達ライン１４６〜１４８および／または（ありうる）患者ライン１５０〜１５２内に場合により存在する任意の気泡を取り除くように、制御ユニット１５５上の対応するプライミング機能を選択することによって、移行ライン１４１ａ〜１４３ａ、１４１ｂ〜１４３ｂおよび１４１ｃ〜１４３ｃのそれぞれを別々にプライムする。このプライミング段階が終了した時点で（もはや注入システム１００内に感知される空気は存在しない）、オペレーターは、最終的に、接続素子１５２（または、単回使用の場合は送達ラインの接続素子）を末梢カテーテル（患者内に既に導入されている）の接続素子に接続する。
【００３１】
この時点で、オペレーターは、スキャン検査に関する情報（例えば、末梢カテーテルの針のゲージ、医療流体のタイプ、容量および流速によってそれぞれ規定される１つまたは複数の段階を含む注入プロファイル、場合により、異なるタイプのスキャン検査に関する事前に規定された注入プロファイルの中から選択される）を入力することによって、制御ユニット１５５をプログラムして、それから、スキャン検査を開始する。スキャン検査の最後に、オペレーターは、注入システム１００のスイッチを切って、送達セット１４５の送達／患者ラインを末梢カテーテルから切断して、それから、それを取り除いて破棄する。
【００３２】
ここで図２を参照して、本開示の実施態様に係る特定の注入システム２００の図形表示が示される。
【００３３】
注入システム２００は、供給ステーション１０５ａ内および供給ステーション１０５ｂ内に、それぞれ、加熱デバイス２０５ａおよび加熱デバイス２０５ｂを追加した点が、（図１に関して）上述のものとは異なる。それぞれの加熱デバイス２０５ａ、２０５ｂは、ボトル（図に示されない）内に含まれる医療流体を標的温度で維持するために、ボトルホルダー１１５ａ、１１５ｂ上にマウントされる保護カバー１２０ａ、１２０ｂによって規定される閉鎖されたチャンバーの内側に配列される。
【００３４】
本開示の実施態様に係る解決手段では、加熱デバイス２０５ａ、２０５ｂは、ボトル１１０ａ、１１０ｂの外部に、および、ハウジング手段によって、すなわち、ボトルホルダー１１５ａ、１１５ｂおよびそれぞれの保護カバー１２０ａ、１２０ｂの組み合わせによって規定される閉鎖されたチャンバーの内側（内部）に配置される、２つの個別の加熱素子（例えば、対応する抵抗器によって実装される）を備える。特に、第一の加熱素子２１０ａ、２１０ｂは、接続ポート１３２ａ、１３２ｂの周りに伸長して、第二の加熱素子２１５ａ、２１５ｂは、第一の加熱素子２１０ａ、２１０ｂに対して横向きで伸長する。
【００３５】
加熱デバイス２０５ａ、２０５ｂの上述の機器構成は、その性能を大いに改善して；特にこれは、医療流体を標的温度で効率的に（より高い均一性およびより低い電力消費で）維持するのを可能にする。
【００３６】
ここで図３Ａ〜図３Ｂを一緒に参照して、本開示の実施態様に係る加熱デバイス図形表示が、それぞれ上面図および底面図で示される（簡潔性のために、以降、２つの供給ステーションに関する全ての素子は、それぞれの接尾辞「ａ」および「ｂ」を取り除いて示される）。
【００３７】
加熱デバイス２０５は、スタンド３０５（例えば、ポリカーボネート製）を備える。以下に説明されるように、スタンド３０５は、ボトルホルダー上にマウントするために、および、保護カバー（図に示されない）を、ボトルホルダーの上の代わりにその上にマウントするように構成される。例えば、スタンド３０５は、概して（例えば、３〜５ｃｍの直径、０．５〜１．５ｃｍの高さ、および０．５〜１ｃｍの厚さを有する）中空の円柱状の形状のクラウン３１０を備える。クラウン３１０は、その下方末端で開いていて、一方で、（例えば、０．５〜１ｃｍの厚さを有する）フラットリング３１５によって、その上方末端で閉じている。リング３１５は、その中央が開いている貫通穴を有するディスクによって規定されて、その貫通穴は、ボトルホルダーの接続ポートと一致する（例えば、１．５〜２．５ｃｍの直径を有する）。
【００３８】
第一の加熱素子２１０（図３Ａでのみ見える）は、電気絶縁材料（例えば、ポリカーボネート）のリング３２０を備え、それは以降、リングヒーター２１０と呼ばれる。リング３２０は、平らである（すなわち、他のものよりもはるかに小さい寸法、例えば、０．３〜０．７ｃｍの厚さおよび３〜５ｃｍの直径を有する）。リング３２０はリング３１５と一致する（すなわち、それは、その中央が開いている対応する貫通穴を有するディスクによって規定される）。リング３２０は、リング３１５上に、より具体的には、（リング３１５の上側表面から伸長しているくぼみによって規定される）対応するシート内に、それによってフラッシュされるように（動作状態で水平に）、固定（例えば、糊付け）される。配置ノッチは、リング３２０の正しい配列を確保するためにリング３１５のシート内に提供される参照歯と一致するリング３２０の外側境界に形成される。
【００３９】
第二の加熱素子２１５は、電気絶縁材料（例えば、ポリカーボネート）の薄いフィン３２５（例えば、０．３〜０．７ｃｍの厚さを有する）を備え、それは以降、フィンヒーター２１５と呼ばれる。フィン３２５は、（下方）ベース（例えば、７〜１０ｃｍの長さを有する）および円形の、ドーム型の（上方）プロファイル（例えば、中央の２〜５ｃｍからベースの末端の０．１〜０．５ｃｍまでの範囲の高さを有する）での平面展開（ｐｌａｎ  ｄｅｖｅｌｏｐｍｅｎｔ）を有する。タブ（図では見えない）は、ベースの中央で下方に伸長する（例えば、０．４〜０．６ｃｍの高さおよび０．６〜１．０ｃｍの幅を有する）。フィン３２５は、リング３２０の（円周の）輪郭に一致するように（そのベースに沿って）曲がっている。フィン３２５は、リング３２０の輪郭よりも短く；したがって、フィン３２５は、（曲げられた時点で）３６０°よりも小さい角度、例えば、２２０°〜３４０°と等しい、好ましくは２４０°〜３２０°、さらにより好ましくは２６０°〜３００°、例えば２８０°に対する円弧に沿って伸長する。フィン３２５は、そのベースをリング３１５（リング３２０に隣接する）の上側表面に提供される対応する溝の中に挿入して、および、そのタブをクラウン３１０の横表面に提供される対応するシートの中に挿入して、スタンド３０５上に（動作状態で垂直に）マウントされて、それから、その上に固定（例えば糊付け）される。
【００４０】
上述の（リングおよびフィン）ヒーター２１０、２１５の特定の配列は、それらの性能をさらに改善する。
【００４１】
１つまたは複数の温度センサー３３０（例えば、メインおよびドーター）は、フィン３２５上に、その頂点の近くに固定される。例えば、温度センサー３３０は、動作状態でボトル（図に示されない）に対面するフィン３２５の内側表面上に置かれる。温度センサー３３０は、フィン３２５に沿ってその外側表面上を垂直に伸長する、対応する（電気的）接続トラック３３５（例えば、銅製）のフリー末端にはんだ付けられる。ケーブル（またはワイヤ）システム３４０（例えば、グラウンドループを避けるためにオプトカプラによって直流的に絶縁される）は、リングヒーター２１０、フィンヒーター２１５および接続トラック３３５（およびその結果、センサー３３０）を、電気コネクター３４５に電気的に接続する。
【００４２】
ここで図４を参照して、本開示の実施態様に係るリングヒーター２１０の図形表示が示される。
【００４３】
リングヒーター２１０（フィンヒーター２１５と組み合わせて示される）は、加熱コイル４０５を備え、それは、ジュール効果によって熱を発生するためにリング３２０内に埋め込まれた抵抗器によって形成される。加熱コイル４０５は、（電気）抵抗性材料（例えば、ニッケル−クロム）で作られる。加熱コイル４０５は、好ましくは３０〜２００Ω、より好ましくは５０〜１５０Ω、さらにより好ましくは８０〜１２０Ω、例えば１００Ωの抵抗を有する。例えば、加熱コイル４０５は、４つのセクター内に配列されるトラックにより形成されて、それらのそれぞれにおいて、二方向に同心円状の円弧に沿って伸長する。各セクターは、二方向の放射状のセグメントを介して隣接するものに接続される。加熱コイル４０５は、２つのパッド４１０ａおよび４１０ｂにより（２つの隣接セクターの外側部分において）終わり、それらは、加熱コイル４０５をケーブルシステム（図に示されない）に電気的に接続するためにリング３２０の下方表面上に露出している。したがって、第一の加熱素子（すなわちリングヒーター）２１０は、接続ポート１３２ａ、１３２ｂのあたりに加熱コイル４０５の平面（すなわち平ら）の配列を備える。換言すれば、第一の加熱素子２１０の加熱コイル４０５は、ボトルホルダー１１５ａ、１１５ｂの縦軸に実質的に垂直である（およびしたがって、ボトルホルダー１１５ａ、１１５ｂによって受け入れられるボトル１１０ａ、１１０ｂの縦軸にも実質的に垂直である）平面内に配列される。したがって、加熱コイル４０５は、ボトル１１０ａ、１１０ｂの外部に配置されて、ボトルネックに近接してボトルの外部表面の制限された領域を取り囲む。
【００４４】
ここで図５を参照して、本開示の実施態様に係るフィンヒーター２１５の図形表示が示される。
【００４５】
この場合においても同様に、フィンヒーター２１５は加熱コイル５０５を備え、それは、ジュール効果によって熱を発生するためにフィン３２５内に埋め込まれた抵抗器によって形成される。加熱コイル５０５は、（電気）抵抗性材料（例えば、再度ニッケル−クロム）で作られる。加熱コイル５０５は、例えば、図に示されないヒーターの抵抗の、好ましくは２〜８倍、より好ましくは３〜７倍、さらにより好ましくは４〜６倍、例えば５倍に等しい、より高い抵抗を有する（例えば、好ましくは３００〜７００Ω、より好ましくは４００〜６００Ω、さらにより好ましくは４５０〜５５０Ω、例えば５００Ω）。例えば、加熱コイル５０５は、その末端に向けて動く低減する高さのいくつかのピークを有するフィン３２５のベースに沿って、それから、二方向の直角のセグメントに沿って伸長するトラックによって形成されて、温度センサーおよび対応する接続トラック（図に示されない）に対応してフィン３２５の一部をフリーにしたままにする。加熱コイル５０５は（フィン３２５のタブにおいて）、加熱コイル５０５をケーブルシステム（図に示されない）に電気的に接続するためにフィン３２５の内部表面上に露出した２つのパッド５１０ａおよび５１０ｂで終わる。したがって、第二の加熱素子（すなわちフィンヒーター）２１５は、接触せずに（すなわち、空間があけられながら）ボトル外部表面と実質的に一致するように、加熱コイル５０５の曲がった配列を備える。加熱コイル５０５は、したがって、ボトル１１０ａ、１１０ｂの外部に置かれて、そこから所定の距離で置かれる。
【００４６】
（リングおよびフィン）ヒーターの上述の構造は単純であるが、同時に、非常に効果的である。
【００４７】
ここで図６を参照して、本開示の実施態様に係る加熱デバイス２０５の例示的なインストールが示される。
【００４８】
保護カバー１２０は、（加熱デバイス２０５がない）標準的な注入システムのボトルホルダー１１５上にマウントされるように構成される。例えば、ボトルホルダー１１５および保護カバー１２０は、バヨネット式マウントを実装する。特に、ボトルホルダー１１５は、対応する移行ライン（図に示されない）のリザーバーおよび接続素子を受け入れて格納するための横方向開口部を備える、エンクロージャー６０５（例えば、概して円柱状の形状）を備える。貫通穴は、エンクロージャー６０５の上部に形成されて、対応するボトルコネクター（図に示されない）を受け入れるための接続ポート１３２を規定する。キャップ６１０は、エンクロージャー６０５の上部にマウントされる（例えば、糊付けまたはネジ留めされる）。キャップ６１０は、エンクロージャー６０５の１つと一致する貫通穴を有し、雄バヨネットコネクター６１５を具備する。雄バヨネットコネクター６１５は、放射状に外側に突き出る複数のタブ（例えば、４つ）を備え；タブの１つは、その末端から下の方に突き出る止め歯を備える。保護カバー１２０は、それと一体化された一致する雌バヨネットコネクター６２０を備える。雌バヨネットコネクター６２０は、保護カバー１２０のフリーの（下方の）境界から放射状に内側に突き出る同じ数のタブ（雄バヨネットコネクター６１５のものと一致する）を備える。保護カバー１２０の隣接タブのそれぞれのペアの間に形成されるクリアリング（ｃｌｅａｒｉｎｇ）は、雄バヨネットコネクター６１５のタブに関する対応するレセプターを規定する。雌バヨネットコネクター６２０は、内部位置で保護カバー１２０全体に沿って放射線状に内側に突き出るリムをさらに備える。リムは、それらを受け入れるための空間を規定するように、雄バヨネットコネクター６１５のタブの厚さに対応する距離によってタブから隙間があけられている。
【００４９】
保護カバー１２０は、保護カバー１２０をボトルホルダー１１５の上に置いて、雌バヨネットコネクター６２０のレセプターを雄バヨネットコネクター６１５のタブと並べて（取り外した状態）、および、後者（雄バヨネットコネクター６１５のタブ）が雌バヨネットコネクター６２０のリムに対して寄りかかるまで（干渉状態）、雄バヨネットコネクター６１５のタブに沿ってスライドする雌バヨネットコネクター６２０のレセプターを備える保護カバー１２０を移動させる（下げる）ことによって、ボトルホルダー１１５上にマウントされ得る。この時点で、保護カバー１２０は、例えば４５°回転（ネジ留め）されて、それにより、雄バヨネットコネクター６１５の止め歯（回転方向に沿って対応するタブの上流に配列される）が雌バヨネットコネクター６２０のタブの１つに対して寄りかかるまで、雄バヨネットコネクター６１５のタブが雌バヨネットコネクター６２０の隙間に入るようにさせる（マウント状態）。同じ操作を逆の順番で繰り返して、保護カバー１２０がボトルホルダー１１５から取り除かれる。
【００５０】
本開示の実施態様に係る解決手段では、加熱デバイス２０５は、キャップ６１０の代わりとなる。この目的のために、スタンド３０５は、リング３１５から下方に突き出る複数、例えば、３つ（２つのみが図では見える）のペグ６２２を具備する。ペグ６２２は、エンクロージャー６０５の上部に既に提供されている、対応するホール６２５と一致する（図には見えない、キャップ６１０の同様のペグを受け入れるため）。さらに、電気コネクター３４５およびケーブルシステム３４０の対応する部分を挿入するために、エンクロージャー６０５の上部で窓６３０が開いている。クラウン３１０は、雄バヨネットコネクター６１５と実質的に同一の雄バヨネットコネクター６３５を具備する（すなわち、放射状に外側に突き出る同じ数のタブを備え、タブの１つは、その末端から下方に突き出る止め歯を具備する）。加熱デバイス２０５は、窓６３０に電気コネクター３４５を通すことによってエンクロージャー６０５（キャップ６１０がない）上にマウントされて、それから、加熱デバイス２０５のコントローラー６４０（例えば、注入システムの制御ユニット内に格納される、図に示されない）に（電気的に）接続される対応するコネクター（図に示されない）の中に差し込まれる。例えば、コントローラー６４０は、マイクロプロセッサをマウントしている（ドーターＰＣＢ）ボード、マイクロプロセッサによってワーキングメモリとして用いられるＲＡＭ、および、電源が切られた場合でさえ保存されるべき情報（特に、加熱デバイス２０５の制御プログラム）を保存するフラッシュＥ２ＰＲＯＭが実装される。この時点で、加熱デバイス２０５は、エンクロージャー６０５の上部に適合されて、それに固定（例えば、上記のように糊付けまたはネジ留め）される。結果として、保護カバー１２０は、キャップ６１０を有するボトルホルダー１１５上とちょうど同じように、加熱デバイス２０５上にマウントされ得る（ここでは、雌バヨネットコネクター６２０は雄バヨネットコネクター６３５と嵌合する）。
【００５１】
このようにして、加熱デバイス２０５を備える注入システムは、それを備えない以前の注入システムと互換性を保つ。
【００５２】
操作において、コントローラー６４０は、加熱デバイス２０５に電力供給する（例えば、２０〜４０Ｖ）。コントローラー６４０は、加熱デバイス２０５のメイン温度センサーおよび冗長温度センサーの両方によって測定される温度を継続的に監視する（安全性の理由）。測定された温度の間の違いが、２つの（またはそれよりも多くの）連続する測定に関する閾値（例えば、０．３〜１℃）を超える場合は（ロバスト性を改善するため）、コントローラー６４０は、エラー状態を入力する（例えば、注入システムの制御ユニットにエラーメッセージを送信することによって、注入システムの運転を止めさせて、警告メッセージをオペレーターに提供させる）。その他では、コントローラー６４０は、（そのスイッチングの頻度を低減するために）ヒステリシスを用いて加熱デバイス２０５を駆動する。具体的には、始めは、メイン温度センサーによって測定される温度が標的温度マイナスデルタ温度（例えば、０．５〜１  ２℃）よりも低いと仮定して、コントローラー６４０は、加熱デバイスのスイッチを入れる。この目的のために、コントローラー６４０は、リングヒーターおよびフィンヒーターを、個々または一緒のいずれかで制御し得る。例えば、コントローラー６４０は、標的温度と測定された温度との間の違いに対応する（一般的な）制御シグナルを産生し得て、その制御シグナルは、リングヒーターとフィンヒーターの両方を直接駆動する同一のＰＷＭパワーシグナルに変換される。上記に示されたとおり、フィンヒーターがリングヒーターよりも多くの電力を熱に変換するように（例えば、それらが０．３〜０．７ｍＡの同一の電流によって駆動される場合、それぞれ、１０〜１２Ｗおよび２〜４Ｗ）、フィンヒーターの抵抗は、リングヒーターの抵抗よりも高い。リングヒーターおよびフィンヒーターによって提供される加熱の違いは、加熱デバイスの性能をさらに改善する。同時に、コントローラー６４０は、測定された温度が標的温度プラス同一のデルタ温度を超えるかどうか検証を開始する。これが生じるとすぐに、コントローラー６４０は、加熱デバイスのスイッチを切る。この時点で、コントローラー６４０は、測定された温度が標的温度マイナスデルタ温度の下に入るかどうか検証を開始する。これが生じるとすぐに、コントローラー６４０は、同じ操作を継続的に繰り返すように加熱デバイスのスイッチを再度入れる。結果として、ボトルホルダー１１５と保護カバー１２０との間に形成されるチャンバー内の温度は、デルタ温度によって規定される範囲内の標的温度の付近で振れる。
【００５３】
改変
当然ながら、局所的および特定の要求を満たすために、当業者は、多くの論理的および／または物理的改変および変更を、本開示に適用し得る。より具体的には、本開示は、１つまたは複数のその実施態様に関して特定の程度の特殊性で説明されているが、形式および詳細における様々な省略、置換および変更ならびに他の実施態様が可能であることが理解されるべきである。特に、本開示の異なる実施態様は、前述の説明に示される特定の詳細（数値など）がない場合でさえも実施され得て、より徹底的なその理解を提供する。反対に、よく知られた特性は、不必要な詳細によって説明を曖昧にしないために、省略または簡略化されていてよい。さらに、本開示の任意の実施態様との関連で記載される特定の素子および／または方法ステップは、全般的な設計選択の事項として任意の他の実施態様に組み込まれ得ることが明示的に意図される。任意の場合において、数値はそれぞれ、用語「約」によって修飾されるものとして読まれるべきであり（すでになされていない限り）、数値の範囲はそれぞれ、その範囲内の連続体に沿った任意のあり得る数字を明示的に特定するものとして意図されるべきである（そのエンドポイントを含む）。さらに、順序または他の修飾語は、同じ名を持つ素子を区別するための単なるラベルとして用いられるが、それらによって、いかなる優先、先行または順序も含意しない。用語「含む（ｉｎｃｌｕｄｅ）」、「含む（ｃｏｍｐｒｉｓｅ）」、「有する（ｈａｖｅ）」、「含む（ｃｏｎｔａｉｎ）」および「含む（ｉｎｖｏｌｖｅ）」（およびそれらの任意の形）は、オープンの、網羅的でない意味で意図されるべきであり（すなわち、列挙されたアイテムに制限されない）、用語「基づく（ｂａｓｅｄ  ｏｎ）」、「依存する（ｄｅｐｅｎｄｅｎｔ  ｏｎ）」、「〜による（ａｃｃｏｒｄｉｎｇ  ｔｏ）」、「〜の機能（ｆｕｎｃｔｉｏｎ  ｏｆ）」（およびその任意の形）は、網羅的でない関係として意図されるべきであり（すなわち、あり得るさらなる変動が含まれる）、用語「ａ／ａｎ」は、１つまたは複数のアイテムとして意図されるべきであり（明示的に別段の指示がない限り）、および、用語「〜のための手段（ｍｅａｎｓ  ｆｏｒ）」（または任意の手段−プラス−機能の構築）は、関連のある機能を実施するために適用または構成される任意の構造として意図されるべきである。
【００５４】
例えば、一実施態様は、注入システムを提供する。しかしながら、注入システムは、シリンジタイプの任意のタイプであってもよい（例えば、別の加圧システムを備え、イメージングスイートの天井上にマウントするためのシーリングマウントを備える）。
【００５５】
一実施態様では、注入システムは、１つまたは複数の流体を患者内に注入するためのものである。しかしながら、流体は、（例えば、どのような医療流体が、薬物または体液のような診断または治療目的のための一般的な医薬用途において用いられようと、または、より一般的には、化粧目的のような任意の他の処置において用いられようと）任意の数および任意のタイプであってよく；さらに、流体は、任意の方法（例えば、動脈内）で任意の（ヒトまたは動物）患者に注入されてよい。
【００５６】
一実施態様では、注入システムは、１つまたは複数の供給ステーションを備え、それぞれ、コンテナから注入される流体の１つを提供するためのものである。
【００５７】
しかしながら、注入システムは、同一または異なる流体を（任意の組み合わせで）供給するための任意の数（ただ１つに至るまで）の供給ステーションを備えてよく；さらに、コンテナは、供給ステーション（例えば、ボトル、バッグ、ポーチ、シリンジおよびそれらの任意の組み合わせ）において同一または異なる任意のタイプであってよい。
【００５８】
一実施態様では、供給ステーションの少なくとも１つは、コンテナを格納するためのチャンバーを規定するハウジング手段を備える。しかしながら、上述の解決手段は、供給ステーションの任意の数（それらのただ１つから全てまで）に適用されてよく；さらに、チャンバーは、任意のタイプ、形状、サイズであってよく、任意の位置に配列されてよく（例えば、それを吊るすためのフックを備えるコンテナを完全または部分的にのみ取り囲む）、および、任意の構造（例えば、アクセスドアを備えるエンクロージャー）によって規定されてよい。
【００５９】
一実施態様では、チャンバーは、流体を患者に送達するためにコンテナを送達アレンジメントに接続するための接続ポートを備える。しかしながら、接続ポートは、任意のタイプ、形状、サイズであってよく、任意の位置に配列されてよく（例えば、ボトルホルダーと一体化されたバルブ）；さらに、送達アレンジメントは、任意のタイプであってよい（例えば、それぞれの供給ステーションのための個々の移行ラインを備えて、送達ラインは、患者内への直接的な挿入のための針で終わる）。
【００６０】
一実施態様では、前記の少なくとも１つの供給ステーションは、チャンバー内の流体を熱的に調整するための調整デバイスを備える。しかしながら、調整デバイスは、任意の方法で運転し得る（例えば、任意の温度、例えば室温からスタートして流体を加熱および／または冷却するため）。
【００６１】
一実施態様では、調整デバイスは、接続ポートの周りに配列された第一の調整素子を備える。しかしながら、第一の調整素子は、任意のタイプ、形状およびサイズであってよく（例えば、四角）、任意の方法で接続ポートの周りに配列されてよい（例えば、部分的にのみ、それを取り囲む）。
【００６２】
一実施態様では、調整デバイスは、第一の調整素子に対して横向きで伸長する第二の調整素子を備える。しかしながら、第二の調整素子は、任意のタイプ、形状およびサイズであってよく（例えば、Ｕなど）、任意の方法で第一の調整素子に対して横向きで伸長してよい（例えば、斜めに、完全にそれを取り囲む）。
【００６３】
一実施態様では、第一の調整素子は、注入システムの動作状態で水平に伸長する。しかしながら、別の方向で（例えば、接続ポートが側方に配列される場合は、垂直に）伸長する第一の調整素子を備える可能性は除外されない。
【００６４】
一実施態様では、第二の調整素子は、第一の調整素子の境界から伸長する。しかしながら、第二の調整素子は、任意の他の位置で（第一の調整素子と接触して、またはそれから空間をあけて）配列されてよい。
【００６５】
一実施態様では、第二の調整素子は、注入システムの動作状態で垂直に伸長する。しかしながら、別の方向で（例えば、接続ポートが側方に配列される場合は、水平に）伸長する第二の調整素子を備える可能性は除外されない。
【００６６】
一実施態様では、第一の調整素子は、接続ポートを平面視で完全に取り囲む。しかしながら、第一の調整素子（ｃｏｎｄｉｔｉｏｎ  ｅｌｅｍｅｎｔ）は、任意の方法で（例えば、完全または部分的にのみその高さに沿って）接続ポートを取り囲んでよい。
【００６７】
一実施態様では、第一の調整素子は、接続ポートと一致する貫通穴を有するディスクによって形成されるリングを備える。しかしながら、リングは、任意の厚さを有してよく、任意のサイズを有して任意の方法で接続ポートと一致する（例えば、それよりもわずかに狭いまたは大きい）任意の貫通穴を備えるディスクによって形成され得る。
【００６８】
一実施態様では、第二の調整素子は、接続ポートを部分的に取り囲む。しかしながら、第二の調整素子（ｃｏｎｄｉｔｉｏｎ  ｅｌｅｍｅｎｔ）は、接続ポートの周りに任意の方法で配列されてよい（例えば、その境界に沿って分配される多数の構成要素を備える）。
【００６９】
一実施態様では、第二の調整素子は、円弧に沿って伸長する。しかしながら、第二の調整素子は、（例えば、楕円形を有する）任意の線に沿って伸長してよい。
【００７０】
一実施態様では、円弧は、２２０°〜３４０°の角度に対する。しかしながら、円弧は、任意の他の程度を有してよい。
【００７１】
一実施態様では、第二の調整素子は、フィンの中央からその各末端まで低減する高さを有するフィンを備える。しかしながら、フィンの高さは、任意の方法で低減してよく（例えば、一定の高さの１つまたは複数の部分を有する）；より一般的には、フィンは、任意の他のプロファイルを有してよい（同じ高さを常に有するものでさえも）。
【００７２】
一実施態様では、第一の調整素子は、第一の抵抗を有する第一の加熱コイルを備え、第二の調整素子は、第一の抵抗よりも高い第二の抵抗を有する第二の加熱コイルを備える。しかしながら、加熱コイルは、任意のタイプ、形状およびサイズであってよく；さらに、それらは、絶対的または相対的用語において任意の抵抗を有してよい（それらの任意の一方は、他方よりも低い、等しい、または高い）。より一般的には、加熱素子の任意の他の実装が検討される（ジュール効果に基づかなくても）。
【００７３】
一実施態様では、ハウジング手段は、コンテナを保持するためのホルダーを備える。しかしながら、ホルダーは、任意のタイプ、形状およびサイズであってよい（例えば、コンテナための機械的ロックを備える）。
【００７４】
一実施態様では、ハウジング手段は、ホルダー上に保持された場合にコンテナを覆うためのカバーを備える。しかしながら、カバーは、任意のタイプ、形状およびサイズであってよい（例えば、ホルダーにヒンジで動くキャップ）。
【００７５】
一実施態様では、少なくとも１つの供給ステーションは、調整デバイスをホルダー上にマウントするための手段を備える。しかしながら、調整デバイスは、カバーのためのそのコネクターに加えて、またはそれに替えて（供給ステーションが調整デバイスとの使用のためにのみ特に設計される場合は、完全になくてもよい）、ホルダー上に任意の方法でマウントされ得る（例えば、スナップフィッティングを用いる）。
【００７６】
一実施態様では、調整デバイスは、第一のコネクターを備え、カバーは、第一のコネクターと嵌合するための第二のコネクターを備える。しかしながら、コネクターは、任意のタイプであってよい（例えば、１つまたは複数のクリップに基づく）。任意の場合において、カバーは、調整デバイスを伴わずに用いられるものと同一であってよく、または、調整デバイスとの使用のために特に設計されてもよい。
【００７７】
一実施態様では、注入システムは、第一の調整素子および第二の調整素子を個々に制御するための手段を備える。しかしながら、調整素子は、個々にまたは常に同じ方法で制御されてよい。さらに、調整デバイスの制御は、任意の方法で実行されてよい。例えば、調整デバイスは、任意のデータ処理または計算システムによってまたはそれらと接続して用いられるのに適切な任意のソフトウェアプログラムによって制御され得て（例えば、中央装置内で直接的に）、それにより、所望の操作を実行するようにシステムを構成する（例えば、外部または常駐ソフトウェア、ファームウェア、またはマイクロコードの形態で）。プログラムは、任意のコンピューター解読可能な記憶媒体上に提供され得て、または、対応する計算システムに任意の方法でダウンロードされ得る（例えば、ネットワークを経由して）。任意の場合において、加熱デバイスは、ハードウェア構造（例えば、１つまたは複数のチップに組み込まれた回路）によって、または、適切にプログラムまたは他の方法で構成されたソフトウェアとハードウェアの組み合わせによって、制御され得る。
【００７８】
一実施態様では、調整デバイスは、チャンバー内の温度を測定するためのそれぞれの複数の温度センサーを備える。しかしながら、温度センサーは、任意のタイプ、任意の位置および任意の数（９個まで）であってよい。
【００７９】
一実施態様では、注入システムは、測定された温度の比較に従ってエラー状態を検出するための手段を備える。しかしながら、エラー状態の検出は、任意の方法で実行され得て（上記）；さらに、エラー状態は、測定された温度の任意の比較に従って（例えば、経時的なそれらの違いの傾向に従って）検出され得る。任意の場合において、この特性は、そもそも省略されてもよい（例えば、単一の温度センサーが利用可能である場合）。
【００８０】
一実施態様では、注入システムは、そのスキャン検査中に患者内へ流体を注入するためのものであり；流体は、造影剤および／または生理食塩水を含む１つまたは複数の医療流体である。しかしながら、注入システムは、任意のスキャン検査（例えば、ＭＲ、核または超音波イメージングの適用）のために用いられてよく；さらに、注入システムは、任意の造影剤（例えば、バリウムに基づく造影剤、例えば硫酸バリウム、ガドリニウム、放射性同位体、ガス充填微小気泡の懸濁液）、任意の生理食塩水（例えば、ブドウ糖が添加される）、それらの任意の組み合わせとともに、またはより一般的には、任意の医療流体（単数または複数）とともに用いられ得る。
【００８１】
一実施態様では、調整デバイスは、チャンバー内の標的温度を維持するための加熱デバイスである。しかしながら、温度の制御は、任意の方法で実行され得て（上記）；さらに、標的温度は、任意の所望の値の付近の任意の範囲内に、任意の方法で維持され得る（例えば、測定された温度が、場合により、標的温度マイナスデルタ温度の下に低下した場合に加熱デバイスのスイッチを入れて、測定された温度が、場合により、標的温度プラスデルタ温度を超えた場合に加熱デバイスのスイッチを切ることによって）。
【００８２】
一実施態様は、上述の注入システムでの使用のための調整デバイスを提供し；調整デバイスは、前記の第一の調整素子および前記の第二の調整素子を備える。しかしながら、調整デバイスは、既存の注入システムとともに用いられるスタンド−アロン製品として、それに対するアプリケーションのための改変（アフターマーケット）キットとして、市場に置かれ得て、または、（新規の）注入システムに直接組み込まれる。
【００８３】
一般に、注入システムおよび調整デバイスが、それぞれ異なる構造を有する、または（例えば異なる材料の）同等の構成要素を含む、または、他の操作の特徴を有する場合は、同様の検討を適用する。任意の場合において、その全ての構成要素は、より多くの素子に分離されてよく、または、２以上の構成要素は、単一の素子に一緒に組み合わせられてよく；さらに、それぞれの構成要素は、対応する操作を並行して実行するのをサポートするために反復され得る。さらに、別段の規定がない限り、異なる構成要素間の任意の相互作用は、一般に、連続的である必要はなく、直接的または１つまたは複数の仲介を通して間接的であってよい。
【００８４】
一実施態様は、１つまたは複数の流体を患者内に注入するために注入システムを運転するための方法を提供する。注入システム内に備わる少なくとも１つの供給ステーションのために（コンテナから注入される流体の１つを供給するために）、当該方法は、コンテナをチャンバー内に格納するステップ（コンテナは、チャンバーの接続ポートを通して流体を患者に送達するための送達アレンジメントに接続される）、および、チャンバー内で医療流体を熱的に調整するステップを含み；調整する前記ステップは、接続ポートの周りに配列された第一の調整素子および第一の調整素子に対して横向きで伸長する第二の調整素子によって流体を熱的に調整するステップを含む。
【００８５】
上述のステップは、患者内への流体の実際の注入とは完全に独立の注入システムの制御方法にのみ関し；任意の場合において、注入は、専門的な医学専門知識を必要とする、または、患者にとって任意の健康リスクを必然的に伴う（例えば、筋肉内）、患者に対するいかなる実質的な物理的介入も伴わない、非侵襲的な様式で実施されてもよい。したがって、この方法は、それ自体、注入システムによって生じる患者に対する効果とのいかなる機能性相互作用も提供せずに、単に注入システムの運転を目的とする。
【００８６】
一般に、より多くのステップまたはそれらの部分の同一機能を有する同様のステップを用いることによって、非本質的な一部のステップを取り除くことによって、または、さらなる任意選択のステップを加えることによって、同一の解決手段が同等の方法を用いて実現される場合、同様の検討が当てはまり）；さらに、ステップは、異なる順番で、同時に、または交互の方法で（少なくとも部分的に）、実行され得る。
【図１】
2019501695.tif 000003
【図２】
2019501695.tif 000004
【図３】
2019501695.tif 000005
【図４】
2019501695.tif 000006
【図５】
2019501695.tif 000007
【図６】
2019501695.tif 000008
【国際調査報告】
2019501695.tif 000009
2019501695.tif 000010
2019501695.tif 000011
2019501695.tif 000012